【事件の表示】
　特願２０００−１４２４６１号「浄水機能付きシャワーヘッド」拒絶査定不服審判事件〔平成１３年１１月２２日出願公開、特開２００１−３２３５２８号〕について、次のとおり審決する。
【結　論】
　本件審判の請求は、成り立たない。
【理　由】
１．手続の経緯
　本願は，平成１２年５月１５日の出願であって，平成２２年１２月２８日付けで拒絶査定がなされ，これに対し，平成２３年４月１４日に拒絶査定不服審判がされると共に，同時に手続補正がなされた。
　その後，平成２３年７月１９日付けで，審判請求人に前置報告書の内容を示し意見を求めるための審尋を行ったところ，同年８月３０日付けで回答書が提出され，さらに，平成２４年２月２２日付けで，当審における拒絶理由が通知され，同年４月２７日に意見書及び手続補正書が提出されたものである。
　
　
２．本願発明
　本願の請求項１に係る発明は，平成２４年４月２７日付けの手続補正で補正された明細書の特許請求の範囲の請求項１に記載された事項により特定される，以下のとおりのものである。
　「円筒形状に形成したシャワーヘッドの把持部内に収容される浄水機能付きシャワーヘッドの水質浄化用カートリッジであって、
　水の水質を浄化する水質浄化材からなるカートリッジ本体と、
　内部へ通水可能にこのカートリッジ本体を包囲するとともに、下流側には内部で浄化された水を下流に導出する接続口を穿設した接続端を有し、この接続端を把持部のカートリッジ受けに差し込み固定するカートリッジカバーとからなり、
　上記カートリッジカバーが、上流側で、把持部底部の水流入口の周縁近傍に設けられた突起物に当接してカートリッジ本体を軸方向に位置固定し、上記水流入口から上記カートリッジカバーの外周側流路への流路を形成するとともに、
　上記把持部内に、水が上記カートリッジカバーの外周側流路から上記内部へ流入し上記水質浄化材により水質を浄化されて吐出される浄水流路と、水が上記水質浄化材で浄化されずに上記外周側流路を通過して吐出される原水流路とを形成することを特徴とする浄水機能付きシャワーヘッドの水質浄化用カートリッジ。」（以下，「本願発明」という。）
　
　
３．刊行物に記載された発明
（１）刊行物１
　当審における拒絶の理由に引用され，本願出願前に頒布された刊行物である，特開平１１−３３３３２８号公報（以下，「刊行物１」という。）には図面と共に，次の記載がある。（下線は，当審にて付与。) 
（１ａ）「【請求項１】　
シャワーノズルを有するヘッド部、頸部、及び前流端がホースに接続されるグリップ部とからなるシャワーヘッド本体を備え、前記グリップ部の内部に、原水のみが通過する第１流路と、原水との接触により溶出可能或いは離脱可能な浄化剤の充填された浄化処理部を有する第２流路とが並列して配されており、原水及び浄水の切換え機構を備えてなる浄水機能付シャワーヘッドにおいて、前記切換え機構は前記頸部内に配され、前記第１及び第２流路の後流側にあって、原水又は浄水を前記頸部の周方向から選択的に導入し軸方向へと導出する構造を有してなることを特徴とする浄水機能付シャワーヘッド。
　
（１ｂ）「【００２９】
【発明の実施の形態】以下、本発明の実施の形態について、図面を参照して具体的に説明する。図１は本発明の第１実施例であるシャワーヘッドの正面図、図２は同シャワーヘッドの縦断面図である。本発明のシャワーヘッド１は、シャワーヘッド本体１０と、同シャワーヘッド本体１０内に収納された浄水カートリッジ２０と、原水及び浄水の切換え機構３０とを備えている。
【００３０】・・・前記本体１０はヘッド部１１、頸部１２及びグリップ部１３とを有している。前記ヘッド部１１は内部が中空で、多数の吐水孔を有するシャワーノズル１１ａがボルト１１ｂにより取り付けられている。また、グリップ部１３の基端にはパッキン１３ａが外側から嵌め込まれ、ホースと連結したアダプターが液密に接続される。更に、前記グリップ部１３は前記頸部１２側から基端にかけてその径を漸減させる円筒状に形成されている。前記シャワーヘッド本体１０は、前記頸部１２とグリップ部１３との間で２分割され、両者はパッキン１４を介してネジ嵌合により一体化される。・・・ 
【００３１】前記グリップ部１３の内部には本発明による浄水カートリッジ２０が着脱可能に収納されている。同浄水カートリッジ２０の断面図を図３に示す。同浄水カートリッジ２０は前記グリップ部１３と同様にその径を漸減させる略円筒形状をなすケース体２１と、同ケース体２１の軸中心に配されたパイプ２２とを備えている。・・・前記
パイプ２２は原水のみが通過する第１流路２３とし、前記ケース体２１とパイプ２２との間には浄化用の薬剤を充填して浄化処理部からなる第２流路２４を形成
　
（１ｃ）「【００３３】また、前記ケース体２１は前記シャワーヘッド本体１０のグリップ部１３の径よりも僅かに小径に形成され、外周には長手方向にリブ状突起が突設されており、それにより同浄水カートリッジ２０のケース体２１と前記シャワーヘッド本体１０のグリップ部１３との間に形成される僅かな隙間は、原水のみが通過する第３流路２７を構成する。かかる第３流路２７を形成することにより、グリップ部１３の基端から導入された原水の圧力損失を低減させることができる。なお、前記リブ状突起に代えて、前記ケース体２１の外周にポイント状の突起を形成してもよい。或いは、前記浄水カートリッジ２０ではなく、前記シャワーヘッド本体１０におけるグリップ部１３の内面にリブ状又はポイント状の突起を突設して、両者の間に第２原水流路を形成することも可能である。」
　
（１ｄ）「【００３４】更に
浄水カートリッジ２０の後流側端部には、前記第１流路２３及び第２流路２４と後述する切換え機構３０の原水室３６及び浄水室３７とをそれぞれ区画して連通する区画部２６が固着されている。前記区画部２６は前記浄水カートリッジ２０のケース体２１の端縁に固着される薄板状のリング部２６ａと、前記パイプ２２と連通する円筒部２６ｂとを有し、同円筒部２６ｂの外周にはパッキン２６ｃが取り付けられている。また、前記リング部２６ａの表面の一部に前記第３流路２７と連通する凹溝２６ｄが形成されており、前記リング部２６ａと円筒部２６ｂとの間の浄水用開口スペース
　
（１ｅ）「【００３７】前記
シャワーヘッド本体１０の頸部１２には原水及び浄水の切換え機構３０が内蔵されている。
切換え機構３０は、円筒ケース体３１
を備えている。
【００３８】前記
円筒ケース体３１は前記頸部１２に密嵌する円筒形状をなすケース本体３１ａと、円筒嵌着部３１ｂと、仕切板３１ｄとを備えている。
円筒嵌着部３１ｂは前記ケース本体３１ａの前流部に形成され、前記浄水カートリッジ２０の円筒部２６ｂが嵌着し、同嵌着部３１ｂの内部が原水導入口３１ｃとなっている。更に、前記仕切板３１ｄは前記円筒嵌着部３１ｂの後流側端縁とケース体３１ｂとの間を半周にわたって閉塞し、開口している残りの半周が浄水導入口３１ｅとなっている。
　
（１ｆ）【図１】及び【図１１】には、シャワーヘッド本体１０は円筒形状である点が図示されている。
　
　上記記載事項（１ａ）乃至（１ｆ）及び図面の記載から，刊行物１には，次の発明が記載されているものと認められる。
「円筒形状に形成したシャワーヘッド本体１０内に収納される浄水機能付きシャワーヘッド１の浄水カートリッジ２０であって，
　略円筒形状をなすケース体２１と同ケース体２１の軸中心に配されたパイプ２２とを備えていて，
　パイプ２２は原水のみが通過する第１流路２３とし，
　前記ケース体２１とパイプ２２との間には浄化用の薬剤を充填した浄化処理部からなる第２流路２４を形成するとともに，
　後流側端部には，薄板状のリング部２６ａと円筒部２６ｂとを有し，前記リング部２６ａと円筒部２６ｂとの間の浄水用開口スペースは，前記第１流路２３及び第２流路２４と頸部１２に密嵌する切換え機構３０の円筒ケース３１の仕切板３１ｄの浄水導入口３１ｅとなる開口と連通するようになっており，前記パイプ２２と連通している円筒部２６ｂは，前記円筒ケース３１の原水導入口３１ｃとなる円筒嵌着部３１ｂに嵌着されるようになっていて，切換え機構３０の原水室３６及び浄水室３７とにそれぞれ区画して連通する区画部２６が固着されている浄水機能付きシャワーヘッドの浄水カートリッジ。」（以下，「刊行物１記載の発明」という。）
　
（２）刊行物２ 
　当審における拒絶の理由に引用され，本願出願前に頒布された刊行物である，実願平４−９０２４５号（実開平６−４８８８１号）のＣＤ−ＲＯＭ（以下，「刊行物２」という。）には，次の記載がある。（下線は，当審にて付与。）  
（２ａ）「【請求項１】　微細な濾過孔を多数穿設した円筒形の電鋳製フィルタの中心に取水管を挿通し、この取水管の周壁に通水孔を穿設すと共に、取水管と電鋳製フィルタとの間の筒状の空間に活性炭を充填し、さらに該電鋳製フィルタの上下の開放部分を閉鎖し、取水管の下端に出水管を直結しこの出水管の周壁にはフィルタケース側貫通孔を穿設し、
次に、水道の蛇口に接続すべき流入管を本体ケースの上部に取付けると共に、本体ケースの底部にはフィルタケースの出水管の外径とその内径が等しい流出管を取付け、
そして該フィルタケースを本体ケース内に装着して出水管を流出管に挿入するとともに、フィルタケースに連結した切替レバーによりフィルタケースが上下動自在となり、
このフィルタケースの上下動により前記フィルタケース側貫通孔が流出管の上端より出没自在にのぞませることを特徴とする浄水器。」  
  
（２ｂ）「【０００８】 
　図１は本考案第１実施例の浄水器の斜視図であり、図２はその断面図である。１は円筒形の本体ケースであり、上部に流入管２、下部に流出管３を有する。本体ケース１は、本体ケース上部１ａと本体ケース下部１ｂよりなり、この本体ケース上部１ａと本体ケース下部１ｂはそれぞれに設けたネジ部で螺合し開閉自在である。
　４は流入管２に連結して設けられた蛇口取付部であり、この蛇口取付部４に取付けた固定用ネジ５および本体取付用パッキン６で浄水器を水道の蛇口７に固定する。
　８は
本体ケース１の流出管３
　
フィルタケース９は円筒形であり
上面には下部に入水孔１１を有する回転止めリブ１２を固着し、下面には出水管１０を取付ける。出水管１０はフィルタケース９に内蔵された通水孔を多数穿設した取水管１７と連結
　
フィルタケース９の周面は電鋳製フィルタ１３で形成する。電鋳製フィルタ１３は
濾過孔が多数明いている。
　
そして、取水管１７と電鋳製フィルタ１３の間の空間部分に活性炭１４を充填する。
【０００９】
　以上のようにしてなる
フィルタケース９を本体ケース１内に収容する。収容は、
流出管３に出水管１０を
挿入して行う
　そして、切替レバー８の回動により螺合した出水管１０を上下動し、フィルタケース９はこれに伴い昇降する。
　さらに本体ケース上部１ａと本体ケース下部１ｂの螺合部分やフィルタケース９の下部などにゴム製のパッキン１５を取付けて漏水防止をする。
【００１０】
　
フィルタケース９が下降するとフィルタケース９の下部に取付けたパッキン１５が本体ケース下部１ｂに密着しフィルタケース側貫通孔１６が塞がれて、流入管２から電鋳製フィルタ１３を通り、さらに活性炭１４を通り、取水管１７の通水孔を通って出水管１０より出水する浄水路が形成される。フィルタケース９が上昇するとフィルタケース側貫通孔１６が開いて、流入管２からフィルタケースに穿設したフィルタケース側貫通孔１６を通り出水管１０より出水する通常水路が形成される。
【００１１】
　切替レバー８を左側に回すと
フィルタケース９が上昇して
通常水路が選択され
流入管２から入水し、入水孔１１を通った水はフィルタケース側貫通孔１６を通り出水管１０より出水する。この際、電鋳製フィルタ１３を通り浄水される水もありうるが、電鋳製フィルタ１３を通るよりフィルタケース側貫通孔１６を通るほうが極めて容易であるので、水は電鋳製フィルタ１３をほとんど通らず、浄化されない水がそのまま出水管１０より出る。
  
（２ｃ）上記記載事項（２ｂ）を参照して特に図２をみると，電鋳製フィルタ１３は取水管１７との間の空間部分に充填された活性炭１４の周面を包囲しており，フィルタケース９の下面には活性炭１４で浄化された水を導出する取水管１７と連通する孔を設けることが明らかである。
  
　これら記載事項（２ａ）乃至（２ｃ）及び図面の記載から，刊行物２には，次の発明が記載されているものと認められる。
「円筒形の本体ケース１内に収容されるフィルタケース９であって，
　周面は内部へ通水可能な濾過孔が多数明いている電鋳製フィルタ１３で形成し，中央部に通水孔を多数穿設した取水管１７を設けて円筒形とし，取水管１７と電鋳製フィルタ１３の間の空間部分には活性炭１４が充填されて電鋳製フィルタ１３は活性炭１４の周面を包囲しており，上面には，下部に入水孔１１を有する回転止めリブ１２を固着し，下面には，内部で浄化された水を導出する取水管１７と連通する孔を設けるとともに出水管１０が連結されて取付けられており，
　上記入水孔１１を通った水が，フィルタケース９の電鋳製フィルタ１３の外周側を通過し，浄化されない水がそのまま出水管１０から出る通常水路と，
　外周側から電鋳製フィルタ１３を通って内部へ流入し，活性炭１４を通り，中央部の取水管１７の通水孔を通って出水管１０から出水する浄水路とを形成する浄水器のフィルタケース。」（以下，「刊行物２記載の発明」という。）
　
　
４．対比 
　本願発明と刊行物１記載の発明とを対比すると，
　刊行物１記載の発明の「浄水カートリッジ」が，本願発明の「水質浄化用カートリッジ」に相当しており，以下同様に，
「浄化用の薬剤」が「水の水質を浄化する水質浄化材」に，
「後流側」が「下流側」に，
「浄水用開口スペース」が「内部で浄化された水を下流に導出する接続口」に，
「薄板状のリング部２６ａと円筒部２６ｂとを有する区画部２６」が「カートリッジカバー」の「接続端」に，
「円筒部２６ｂは，前記円筒ケース３１の原水導入口３１ｃとなる円筒嵌着部３１ｂに嵌着される」が「接続端を把持部のカートリッジ受けに差し込み固定する」に，
「原水のみが通過する第１流路２３」が「水質浄化材で浄化されずに吐出される」「原水流路」に，それぞれ相当している。
　また，刊行物１記載の発明の「第２流路２４」は原水が浄化処理部を通過し、浄化されて浄水になるものであるから，本願発明の「浄水流路」に実質的に相当する。
　そして、刊行物１記載の発明の「シャワーヘッド本体１０内に」，「原水のみが通過する第１流路２３と」，「浄化用の薬剤を充填した浄化処理部からなる第２流路２４を形成する」ことは，本願発明の「把持部内に」，「水質浄化材により水質を浄化されて吐出される浄水流路と」，「水が上記水質浄化材で浄化されずに」，「吐出される原水流路とを形成する」ことに実質的に相当する。
　 　 
　したがって，両者は，以下の点で一致している。
 「円筒形状に形成したシャワーヘッドの把持部内に収容される浄水機能付きシャワーヘッドの水質浄化用カートリッジであって，
　水の水質を浄化する水質浄化材からなるカートリッジ本体と，
　下流側には内部で浄化された水を下流に導出する接続口を穿設した接続端を有し，この接続端を把持部のカートリッジ受けに差し込み固定するカートリッジカバーとからなり，
　上記把持部内に，水が上記水質浄化材により水質を浄化されて吐出される浄水流路と，水が上記水質浄化材で浄化されずに吐出される原水流路とを形成する浄水機能付きシャワーヘッドの水質浄化用カートリッジ。」
　
　そして，以下の点で相違している。
（相違点１）
　本願発明は，カートリッジカバーが，「内部へ通水可能に」水質浄化材からなる「カートリッジ本体を包囲するとともに」「接続端を有し」，「水が上記カートリッジカバーの外周側流路から上記内部へ流入し上記水質浄化材により水質を浄化されて吐出される浄水流路と，水が上記水質浄化材で浄化されずに上記外周側流路を通過して吐出される原水流路とを形成する」のに対して，
　刊行物１記載の発明は，カートリッジカバーが接続端は有しているが，内部へ通水可能に水質浄化材を包囲しておらず，水が上記カートリッジカバーの外周側流路から上記内部へ流入し上記水質浄化材により水質を浄化されて吐出されるようになっていない点。
（相違点２）
　本願発明は，「カートリッジカバーが、上流側で、把持部底部の水流入口の周縁近傍に設けられた突起物に当接してカートリッジ本体を軸方向に位置固定し、上記水流入口から上記カートリッジカバーの外周側流路への流路を形成する」のに対して，
　刊行物１記載の発明は，そのようになっていない点。
　
５．判断 
（相違点１について） 
　刊行物２の記載の発明の「フィルタケース」は，本願発明の「水質浄化用カートリッジ」に，「活性炭１４」が「水質浄化材からなるカートリッジ本体」に相当する。次に，刊行物２の記載の発明では，「電鋳製フィルタ１３は活性炭１４の周面を包囲しており，（フィルタケースの）上面には，下部に入水孔１１を有する回転止めリブ１２を固着し，下面には，内部で浄化された水を導出する取水管１７と連通する孔を設けるとともに出水管１０が連結されて取付けられて」いることから，「電鋳製フィルタ」と「フィルタケースの上面及び下面」の組み合わせが，本願発明の「カートリッジカバー」に相当する。
　また，刊行物２の記載の発明においても，「入水孔１１を通った水が，フィルタケース９の電鋳製フィルタ１３の外周側を通過し，浄化されない水がそのまま出水管１０から出る通常水路と，外周側から電鋳製フィルタ１３を通って内部へ流入し，活性炭１４を通り，中央部の取水管１７の通水孔を通って出水管１０から出水する浄水路とを形成する」ので，「通常水路」及び「浄水路」が，本願発明の「原水流路」及び「浄水流路」に相当する。
　以上のことから，刊行物２には，相違点１に係る「カートリッジカバーが，内部へ通水可能に水質浄化材からなるカートリッジ本体を包囲するとともに接続端を有し，水が上記カートリッジカバーの外周側流路から上記内部へ流入し上記水質浄化材により水質を浄化されて吐出される浄水流路と，水が上記水質浄化材で浄化されずに上記外周側流路を通過して吐出される原水流路とを形成する」発明が記載されている。
　そして，刊行物１記載の発明の浄水カートリッジも，刊行物２記載の発明のフィルタケースも，いずれも，流入してきた原水を，そのまま原水として使用可能とする流路と，水質浄化した浄水として使用可能とする流路とを形成する浄化装置に用いられるカートリッジであるから，刊行物１記載の発明の浄水カートリッジの流水経路を，刊行物２記載の発明のフィルタケースのように変更して，上記相違点に係る本願発明の構成とすることは，当業者が容易になし得たことである。
　また，本願発明の作用効果は，刊行物１及び２記載の発明から当業者が予測し得る程度のことである。
　
（相違点２について）　
　本願発明の「カートリッジカバーが、上流側で、把持部底部の水流入口の周縁近傍に設けられた突起物に当接してカートリッジ本体を軸方向に位置固定し、上記水流入口から上記カートリッジカバーの外周側流路への流路を形成する」点の，「把持部底部の水流入口の周縁近傍に設けられた突起物」は，カートリッジカバーの構成要素ではない。他方，刊行物１記載の発明の浄水カートリッジにおいても，例えば刊行物１の図２で，カートリッジ下面とグリップ部１３下方の内周側に突出した部分とが当接して，軸方向の位置固定がなされている様に，何らかの位置固定手段を有していることは自明であるので，この点にカートリッジとしての相違は認められない。よって，相違点２としたものは本願発明と刊行物１記載の発明との相違点とはならない。
　　
　したがって，本願発明は刊行物１及び２記載の発明に基いて当業者が容易に発明をすることができたものであるから，特許法第２９条第２項の規定により特許を受けることができない。
　
　なお，本願発明の「カートリッジ」の構成とは認められないとした「カートリッジカバーが、上流側で、把持部底部の水流入口の周縁近傍に設けられた突起物に当接してカートリッジ本体を軸方向に位置固定し、上記水流入口から上記カートリッジカバーの外周側流路への流路を形成する」という事項について言及すると，上流側で，把持部底部の水流入口の周縁近傍に設けられた突起物に当接してカートリッジを軸方向に位置固定するとともに外周側流路への流路を形成することは，特開２０００−１１６５６０号公報に記載されている。また，カートリッジ側にではあるが，水流入口の周縁近傍となる位置にリブを設けてカートリッジの軸方向の位置固定及び外周側流路への流路を形成することは，査定時の拒絶理由に引用されている特開昭５９−８０３１０号公報にも記載されており，かつ，位置固定や流路形成のためのリブをカートリッジ側ではなくセットされる側に設けることは，特開昭６１−２３８３９１号公報や上記刊行物１にも記載されており，適宜なし得ることにすぎない。
 　 
 　 
６．むすび  
　以上のとおり，本願発明は特許を受けることができないから，本願の他の請求項に係る発明について検討するまでもなく，本願は拒絶すべきものである。　 
　よって，結論のとおり審決する。